(57)【要約】【課題】温度によるアナログ画像信号の変動に対処すると共にファーストコピーを短縮し、ゲイン調整部の部品の寿命を延命し電力消費を少なくする。【解決手段】イメージセンサと、アナログ信号処理部と、ＣＰＵと、メモリから構成される画像読取装置であって、ＣＰＵが、「スタートキー」以外の「キー」入力の操作が為された時であって、ゲイン調整処理中でない時は、アナログ信号処理部からのディジタル画像信号を用いてゲイン調整を行ってゲイン調整値をアナログ信号処理部のアナログＩＣへ出力するゲイン調整処理を起動し、ゲイン調整処理中時は前記ゲイン調整処理を起動させないように制御し、「スタートキー」入力の操作が為された時であって、ゲイン調整処理中でない時は前記ゲイン調整処理を起動し、ゲイン調整処理中時は前記ゲイン調整処理を起動させず、それらのゲイン調整処理が終了してから原稿の読み込み動作を起動するように制御する。【選択図】　　図２
2004120189.tif 000002
【特許請求の範囲】
【請求項１】
イメージセンサと、アナログ信号処理部と、ＣＰＵと、メモリから構成される画像読取装置であって、ＣＰＵが、
「スタートキー」以外の「キー」入力の操作が為された時であって、ゲイン調整処理中でない時は、アナログ信号処理部からのディジタル画像信号を用いてゲイン調整を行ってゲイン調整値をアナログ信号処理部のアナログＩＣへ出力するゲイン調整処理を起動し、ゲイン調整処理中時は前記ゲイン調整処理を起動させないように制御し、
「スタートキー」入力の操作が為された時であって、ゲイン調整処理中でない時は前記ゲイン調整処理を起動し、ゲイン調整処理中時は前記ゲイン調整処理を起動させず、それらのゲイン調整処理が終了してから原稿の読み込み動作を起動するように制御する、
ことを特徴とする画像読取装置。
【請求項２】
原稿の表面用イメージセンサと、裏面用イメージセンサと、アナログ信号処理部と、ＣＰＵと、メモリから構成される画像読取装置であって、ＣＰＵが、
「原稿のセット」又は原稿の表面用の「キー」入力の操作が為された時であって、ゲイン調整処理中でない時は、アナログ信号処理部からのディジタル画像信号を用いて表面用イメージセンサ系のゲイン調整を行ってゲイン調整値をアナログ信号処理部のアナログＩＣへ出力するゲイン調整処理を起動し、ゲイン調整処理中時は前記ゲイン調整処理を起動させないように制御し、
原稿の裏面用の「キー」入力の操作が為された時であって、ゲイン調整処理中でない時は、アナログ信号処理部からのディジタル画像信号を用いて裏面用イメージセンサ系のゲイン調整を行ってゲイン調整値をアナログ信号処理部のアナログＩＣへ出力するゲイン調整処理を起動し、ゲイン調整処理中時は前記ゲイン調整処理を起動させないように制御し、
「スタートキー」入力の操作が為された時であって、ゲイン調整処理中でない時は前記ゲイン調整処理を起動し、ゲイン調整処理中時は前記ゲイン調整処理を起動させず、それらのゲイン調整処理が終了してから原稿の読み込み動作を起動するように制御する、
ことを特徴とする画像読取装置。
【請求項３】
イメージセンサと、アナログ信号処理部と、ＣＰＵと、タイマと、メモリから構成される画像読取装置であって、ＣＰＵが、
「スタートキー」以外の「キー」入力の操作が為された時であってタイマが所定時間Ｔ以上である場合のみ、ゲイン調整処理中でない時は、アナログ信号処理部からのディジタル画像信号を用いてゲイン調整を行ってゲイン調整値をアナログ信号処理部のアナログＩＣへ出力しタイマをリセットするゲイン調整処理を起動し、ゲイン調整処理中時は前記ゲイン調整処理を起動させないように制御し、「スタートキー」入力の操作が為された時であってタイマが所定時間Ｔ以上である場合のみ、ゲイン調整処理中でない時は、前記ゲイン調整処理を起動してからタイマのリセットを待ち、ゲイン調整処理中時は前記ゲイン調整処理を起動させることなくタイマのリセットを待ち、そのタイマのリセットが終了してから原稿の読み込み動作を起動するように制御し、
タイマが所定時間Ｔ以下である時は、前記ゲイン調整処理とタイマのリセットを省略するように制御する、
ことを特徴とする画像読取装置。
【請求項４】
原稿の表面用イメージセンサと、裏面用イメージセンサと、アナログ信号処理部と、ＣＰＵと、タイマＢと、タイマＣと、メモリから構成される画像読取装置であって、ＣＰＵが、
「原稿のセット」又は原稿の表面用の「キー」入力の操作が為された時であってタイマＢが所定時間Ｔ１以上である場合のみ、ゲイン調整処理中でない時は、アナログ信号処理部からのディジタル画像信号を用いて表面用イメージセンサ系のゲイン調整を行ってゲイン調整値をアナログ信号処理部のアナログＩＣへ出力しタイマＢをリセットするゲイン調整処理を起動し、ゲイン調整処理中時は前記ゲイン調整処理を起動させないように制御し、
原稿の裏面用の「キー」入力の操作が為された時であってタイマＣが所定時間Ｔ２以上である場合のみ、ゲイン調整処理中でない時は、アナログ信号処理部からのディジタル画像信号を用いて裏面用イメージセンサ系のゲイン調整を行ってゲイン調整値をアナログ信号処理部のアナログＩＣへ出力しタイマＣをリセットするゲイン調整処理を起動し、ゲイン調整処理中時は前記ゲイン調整処理を起動させないように制御し、
「スタートキー」入力の操作が為された時であってタイマＢ，タイマＣが所定時間Ｔ１，Ｔ２以上である場合のみ、ゲイン調整処理中でない時は、前記ゲイン調整処理を起動してからタイマＢ，タイマＣのリセットを待ち、ゲイン調整処理中時は前記ゲイン調整処理を起動させることなくタイマＢ，タイマＣのリセットを待ち、それらのタイマＢ，タイマＣのリセットが終了してから原稿の読み込み動作を起動するように制御し、
タイマＢ，タイマＣが所定時間Ｔ１，Ｔ２以下である時は、前記ゲイン調整処理とタイマＢ，タイマＣのリセットを省略するように制御する、
ことを特徴とする画像読取装置。
【請求項５】
請求項３或いは請求項４に記載された画像読取装置において、
ＣＰＵは、タイマが所定時間ＴＮ（ＴＮ≧Ｔ、ＴＮ≧Ｔ１、ＴＮ≧Ｔ２）以上である時は、前記ゲイン調整処理を起動するように制御する、
ことを特徴とする画像読取装置。
【発明の詳細な説明】
【０００１】
【発明の属する技術分野】
本発明は、複写機、ファクシミリ、ＭＦＰ（マルチファンクションプリンタ）等に用いられる画像読取装置に関し、特にアナログ画像信号を増幅する増幅回路のゲイン調整の調整タイミングを適切に行う画像読取装置に関する。
【０００２】
【従来の技術】
従来から、図９に示すようなディジタル複写機が知られている。このディジタル複写機は、画像読取装置１と、画像処理装置２と、画像形成装置３と、これらを制御する制御部４から構成されている。又、近年のディジタル複写機には、コピーモードの他に、電話線に接続することによりＦＡＸとして機能するＦＡＸモード、ネットワークに接続することにより、プリンタとして機能するネットワークプリンタモード及びスキャナとして機能するネットワークスキャナモード等、多種のモードを持たせるために、公衆回線インタフェース５，ネットワークインタフェース６が付設されている。
【０００３】
画像読取装置１では、イメージセンサであるＣＣＤ或いはＣＩＳにより画像を読み取り、アナログ信号として得られた電気的画像信号（以下画像信号という）を増幅処理し、ディジタル信号として出力する。画像処理装置２では、画像信号を加工処理して出力する。画像形成装置３では、紙に記録、印字する。
【０００４】
図１０は、画像読取装置１の従来例の構成を示す図である。画像読取装置１は、ＣＣＤ，ＣＩＳ１１と、バッファ１２と、アナログＩＣ１３と、Ａ／Ｄコンバータ１４と、ＡＳＩＣ１５と、ＳＣＮ制御ＣＰＵ１６と、ＥＥＰＲＯＭ１７と、ＳＲＡＭ１８から構成されている。原稿表面読み込み用のイメージセンサであるＣＣＤ（Ｃｈａｒｇｅ　Ｃｏｕｐｌｅｄ　Ｄｅｖｉｃｅ）と、原稿裏面読み込み用の密着型イメージセンサであるＣＩＳ（Ｃｏｎｔａｃｔ　Ｉｍａｇｅ　Ｓｅｎｓｏｒ）は、その光源光量、光源変換効率、及び出力信号レベル等がそれぞれ異なるため、それぞれ専用のアナログ信号処理部を設けている。アナログ信号処理部は、原稿から読み取ったアナログ画像信号からリセットノイズ等の高周波成分を除去するバッファ１２と、アナログ画像信号をサンプルホールドし、次段のＡ／Ｄコンバータ１４の入力に適したレベルに増幅するアナログＩＣ１３と、アナログ画像信号をディジタル画像信号に変換するＡ／Ｄコンバータ１４から構成されている。なお、アナログＩＣ１３はＩＣの代わりに個別素子で回路を構成しでも良い。又、図１０では、ＣＣＤ１１とそのアナログ信号処理部及びＣＩＳ１１とそのアナログ信号処理部を各１系統のみ表示しているが、高速タイプのＣＣＤでは２系統或いは４系統であっても良い。
【０００５】
ＣＣＤ，ＣＩＳ１１は、原稿からの反射光を主走査１ライン分検知してアナログ画像信号に変換する。バッファ１２は、原稿から読み取ったアナログ画像信号からリセットノイズ等の高周波成分を除去する。アナログＩＣ１３は、エミッタフォロア回路からなり、アナログ画像信号をサンプルホールドし、次段のＡ／Ｄコンバータ１４の入力に適したレベルに増幅する。Ａ／Ｄコンバータ１４は、アナログ画像信号をディジタル画像信号に変換し、画像処理装置２へディジタル画像信号として出力する。
【０００６】
そして、アナログＩＣ１３の増幅器のゲイン（増幅率）は、それが大きすぎてＡ／Ｄコンバータ１４の入力レンジをオーバーすると、オーバーした分はディジタル出力として判別できなくなり使用できないし、又、反対に小さすぎるとＡ／Ｄコンバータ１４の分解能を十分活用できなくなるので、アナログ画像信号の最大値をＡ／Ｄコンバータ１４の変換可能な最大入力値に合わせるように調整される。アナログＩＣ１３のゲインを調整するために、ＡＳＩＣ１５と、ＳＣＮ制御ＣＰＵ１６と、ＥＥＰＲＯＭ１７と、ＳＲＡＭ１８が設けられている。
【０００７】
ＡＳＩＣ１５は、Ａ／Ｄコンバータ１４から得たディジタル画像信号をＳＣＮ（スキャナー）制御ＣＰＵ１６へ出力すると共に、ＳＣＮ（スキャナー）制御ＣＰＵ１６を介してＳＲＡＭ１８から得たゲイン調整値をアナログＩＣ１３へ出力する。
【０００８】
ＳＣＮ制御ＣＰＵ１６は、画像読取装置１全体の回路動作を制御するものであるが、主として、ゲイン調整値を得るために図１１，１２に示すフローチャートの動作を行う。ＥＥＰＲＯＭ１７は、基準値「ＢＡＳＥ」を格納するものであり、不揮発性のメモリであれば良い。ＳＲＡＭ１８は、ディジタル画像信号の平均値「ＲＥＳ」及び「ゲイン調整値」を格納するものであり、揮発性のメモリであれば良い。
【０００９】
ＳＣＮ制御ＣＰＵ１６のゲイン調整の動作を、図１１，１２に示すフローチャートを用いて説明する。図１１はＣＣＤ系のアナログＩＣ１３のゲインを調整するゲイン調整処理（ＣＣＤ）のフローチャートであり、図１２はＣＩＳ系のアナログＩＣ１３のゲインを調整するゲイン調整処理（ＣＩＳ）のフローチャートである。
【００１０】
ゲイン調整処理（ＣＣＤ）では、図１１において、ＳＣＮ制御ＣＰＵ１６は、先ず、キャリッジを基準白板位置へ移動し（Ｓ１１１）、ＣＣＤ１１の光源を点灯する（Ｓ１１２）。次に、ＣＣＤ１１を用いて基準白板に対して主走査１ラインを複数回読み込み、その平均値「ＲＥＳ」を算出してＳＲＡＭ１８に記録する（Ｓ１１３）。次に、平均値「ＲＥＳ」と、ＥＥＰＲ０Ｍ１７に記録されている基準値「ＢＡＳＥ」とを比較する（Ｓ１１４）。基準値「ＢＡＳＥ」と平均値「ＲＥＳ」の差の絶対値が所定値Ｎ以上、即ち平均値「ＲＥＳ」が基準値「ＢＡＳＥ」の許容範囲外である場合は、ステップＳ１１５で平均値「ＲＥＳ」が基準値「ＢＡＳＥ」より小さいか否かを判断し、小さい場合は、ＳＲＡＭ１８に記憶されている「ゲイン調整値」を△Ｇ増加して、ＳＲＡＭ１８に再度記憶し（Ｓ１１６）、ステップＳ１１３へ戻る。大きい場合は、ＳＲＡＭ１８に記憶されている「ゲイン調整値」を△Ｇ減少して、ＳＲＡＭ１８に再度記憶し（Ｓ１１７）、ステップＳ１１３へ戻る。基準値「ＢＡＳＥ」と平均値「ＲＥＳ」の差の絶対値が所定値Ｎ以下、即ち平均値「ＲＥＳ」が基準値「ＢＡＳＥ」の許容範囲内である場合は、最適なゲイン調整値が得られたので、ＣＣＤ１１の光源を消灯し（Ｓ１１８）、キャリッジをホームポジションへ移動し（Ｓ１１９）、ゲイン調整処理（ＣＤＤ）を終了する。
【００１１】
ゲイン調整処理（ＣＩＳ）は、図１１のゲイン調整処理（ＣＤＤ）と以下の点が異なる。即ち、ゲイン調整処理（ＣＩＳ）は、（１）「両面読み込み」時のみであり、（２）ＣＩＳ１１が固定されて設けられているので、キャリッジを移動する必要がなく、（３）ＣＤＤ系のタイマと異なるタイマを使用する。
【００１２】
ゲイン調整処理（ＣＩＳ）では、図１２において、ＳＣＮ制御ＣＰＵ１６は、先ず、モードが両面読み込みであるか否かを判断し（Ｓ１２１）、モードが両面読み込みでない場合はゲイン調整処理（ＣＩＳ）を終了する。モードが両面読み込みである場合はＣＩＳ１１の光源を点灯し（Ｓ１２２）、ＣＩＳ１１を用いて基準白板に対して主走査１ラインを複数回読み込み、その平均値「ＲＥＳ」を算出してＳＲＡＭ１８に記録する（Ｓ１２３）。次に、平均値「ＲＥＳ」と、ＥＥＰＲ０Ｍ１７に記録されている基準値「ＢＡＳＥ」とを比較する（Ｓ１２４）。基準値「ＢＡＳＥ」と平均値「ＲＥＳ」の差の絶対値が所定値Ｎ以上、即ち平均値「ＲＥＳ」が基準値「ＢＡＳＥ」の許容範囲外である場合は、ステップＳ１２５で平均値「ＲＥＳ」が基準値「ＢＡＳＥ」より小さいか否かを判断し、小さい場合は、ＳＲＡＭ１８に記憶されている「ゲイン調整値」を△Ｇ増加して、ＳＲＡＭ１８に再度記憶し（Ｓ１２６）、ステップＳ１２３へ戻る。大きい場合は、ＳＲＡＭ１８に記憶されている「ゲイン調整値」を△Ｇ減少して、ＳＲＡＭ１８に再度記憶し（Ｓ１２７）、ステップＳ１２３へ戻る。基準値「ＢＡＳＥ」と平均値「ＲＥＳ」の差の絶対値が所定値Ｎ以下、即ち平均値「ＲＥＳ」が基準値「ＢＡＳＥ」の許容範囲内である場合は、最適なゲイン調整値が得られたので、ＣＩＳ１１の光源を消灯し（Ｓ１２８）、ゲイン調整処理（ＣＩＳ）を終了する。
【００１３】
なお、ステップＳ１１３，Ｓ１２３では、アナログ画像信号の最大値を推定する演算として、ディジタル画像信号の平均値を算出して行った（Ａ／Ｄコンバータ１４の入力レンジをオーバーしたアナログ画像信号がディジタル値としては反映されていないため）が、所定レベル以上のディジタル画像信号の画素数をカウントすることも考えられる。
【００１４】
なお、画像読取装置１が無操作状態である時間が長く続く場合の電力消費を少なくするために、タイマＡを設けて、タイマＡの時間が所定値Ｔ０以上であると判断した場合に、画像読取装置１をスリープモードにし待機状態とすることは周知の通りである。
【００１５】
【発明が解決しようとする課題】
ところで、アナログ画像信号は、照明光の強度やラインセンサの特性が温度によって変動する。特に、ＣＩＳは温度変化によるアナログ画像信号出力の変動が大きく、又ＣＣＤにおいても今後の更なる高速化対応を想定した場合照明光量の増大によりアナログ画像信号出力の変動増大が予想される。そのため、適切なタイミングでゲイン調整する必要がある。ゲイン調整を行うタイミングは、原稿を読み取る直前に行うのが望ましい。しかし、原稿を読み取る直前に行えば最適な画像信号が得られるものの、ゲイン調整に手間取った場合はコピーの完了までに時間が掛かってファーストコピーが長くなる。又、ゲイン調整を始終行えば最適な画像信号が得られるものの、温度によるアナログ画像信号の変動は比較的長い時間で生ずるので無駄なゲイン調整を行うことになりかねず、ゲイン調整部の部品の寿命や電力消費も無視できない。又逆に、主電源投入時にのみ１回ゲイン調整を行ってゲイン調整値を保存しておき、このゲイン調整値を利用するようにすれば、ファーストコピーは短縮出来、多数回のゲイン調整によるゲイン調整部の部品の寿命や電力消費の問題は無くなるものの、温度によるアナログ画像信号の変動に対処できず最適な画像信号が得られない。
【００１６】
本発明は、前述した課題を解決するためになされたものであり、ゲイン調整を、「スタートキー」入力操作前に且つ必要最小限で行うことにより、温度によるアナログ画像信号の変動に対処すると共にファーストコピーを短縮し、ゲイン調整部の部品の寿命を延命し電力消費を少なくすることを目的とする。
【００１７】
【課題を解決するための手段】
上記の目的を達成するため、
請求項１の記載に係る発明は、
イメージセンサと、アナログ信号処理部と、ＣＰＵと、メモリから構成される画像読取装置であって、ＣＰＵが、
「スタートキー」以外の「キー」入力の操作が為された時であって、ゲイン調整処理中でない時は、アナログ信号処理部からのディジタル画像信号を用いてゲイン調整を行ってゲイン調整値をアナログ信号処理部のアナログＩＣへ出力するゲイン調整処理を起動し、ゲイン調整処理中時は前記ゲイン調整処理を起動させないように制御し、
「スタートキー」入力の操作が為された時であって、ゲイン調整処理中でない時は前記ゲイン調整処理を起動し、ゲイン調整処理中時は前記ゲイン調整処理を起動させず、それらのゲイン調整処理が終了してから原稿の読み込み動作を起動するように制御する、
ことを特徴とする。
【００１８】
請求項２の記載に係る発明は、
原稿の表面用イメージセンサと、裏面用イメージセンサと、アナログ信号処理部と、ＣＰＵと、メモリから構成される画像読取装置であって、ＣＰＵが、
「原稿のセット」又は原稿の表面用の「キー」入力の操作が為された時であって、ゲイン調整処理中でない時は、アナログ信号処理部からのディジタル画像信号を用いて表面用イメージセンサ系のゲイン調整を行ってゲイン調整値をアナログ信号処理部のアナログＩＣへ出力するゲイン調整処理を起動し、ゲイン調整処理中時は前記ゲイン調整処理を起動させないように制御し、
原稿の裏面用の「キー」入力の操作が為された時であって、ゲイン調整処理中でない時は、アナログ信号処理部からのディジタル画像信号を用いて裏面用イメージセンサ系のゲイン調整を行ってゲイン調整値をアナログ信号処理部のアナログＩＣへ出力するゲイン調整処理を起動し、ゲイン調整処理中時は前記ゲイン調整処理を起動させないように制御し、
「スタートキー」入力の操作が為された時であって、ゲイン調整処理中でない時は前記ゲイン調整処理を起動し、ゲイン調整処理中時は前記ゲイン調整処理を起動させず、それらのゲイン調整処理が終了してから原稿の読み込み動作を起動するように制御する、
ことを特徴とする。
【００１９】
請求項３の記載に係る発明は、
イメージセンサと、アナログ信号処理部と、ＣＰＵと、タイマと、メモリから構成される画像読取装置であって、ＣＰＵが、
「スタートキー」以外の「キー」入力の操作が為された時であってタイマが所定時間Ｔ以上である場合のみ、ゲイン調整処理中でない時は、アナログ信号処理部からのディジタル画像信号を用いてゲイン調整を行ってゲイン調整値をアナログ信号処理部のアナログＩＣへ出力しタイマをリセットするゲイン調整処理を起動し、ゲイン調整処理中時は前記ゲイン調整処理を起動させないように制御し、「スタートキー」入力の操作が為された時であってタイマが所定時間Ｔ以上である場合のみ、ゲイン調整処理中でない時は、前記ゲイン調整処理を起動してからタイマのリセットを待ち、ゲイン調整処理中時は前記ゲイン調整処理を起動させることなくタイマのリセットを待ち、そのタイマのリセットが終了してから原稿の読み込み動作を起動するように制御し、
タイマが所定時間Ｔ以下である時は、前記ゲイン調整処理とタイマのリセットを省略するように制御する、
ことを特徴とする。
【００２０】
請求項４の記載に係る発明は、
原稿の表面用イメージセンサと、裏面用イメージセンサと、アナログ信号処理部と、ＣＰＵと、タイマＢと、タイマＣと、メモリから構成される画像読取装置であって、ＣＰＵが、
「原稿のセット」又は原稿の表面用の「キー」入力の操作が為された時であってタイマＢが所定時間Ｔ１以上である場合のみ、ゲイン調整処理中でない時は、アナログ信号処理部からのディジタル画像信号を用いて表面用イメージセンサ系のゲイン調整を行ってゲイン調整値をアナログ信号処理部のアナログＩＣへ出力しタイマＢをリセットするゲイン調整処理を起動し、ゲイン調整処理中時は前記ゲイン調整処理を起動させないように制御し、
原稿の裏面用の「キー」入力の操作が為された時であってタイマＣが所定時間Ｔ２以上である場合のみ、ゲイン調整処理中でない時は、アナログ信号処理部からのディジタル画像信号を用いて裏面用イメージセンサ系のゲイン調整を行ってゲイン調整値をアナログ信号処理部のアナログＩＣへ出力しタイマＣをリセットするゲイン調整処理を起動し、ゲイン調整処理中時は前記ゲイン調整処理を起動させないように制御し、
「スタートキー」入力の操作が為された時であってタイマＢ，タイマＣが所定時間Ｔ１，Ｔ２以上である場合のみ、ゲイン調整処理中でない時は、前記ゲイン調整処理を起動してからタイマＢ，タイマＣのリセットを待ち、ゲイン調整処理中時は前記ゲイン調整処理を起動させることなくタイマＢ，タイマＣのリセットを待ち、それらのタイマＢ，タイマＣのリセットが終了してから原稿の読み込み動作を起動するように制御し、
タイマＢ，タイマＣが所定時間Ｔ１，Ｔ２以下である時は、前記ゲイン調整処理とタイマＢ，タイマＣのリセットを省略するように制御する、
ことを特徴とする。
【００２１】
請求項５の記載に係る発明は、
請求項３或いは請求項４に記載された画像読取装置において、
ＣＰＵは、タイマが所定時間ＴＮ（ＴＮ≧Ｔ、ＴＮ≧Ｔ１、ＴＮ≧Ｔ２）以上である時は、前記ゲイン調整処理を起動するように制御する、
ことを特徴とする。
【００２２】
【発明の実施の形態】
本発明の画像読取装置１を、図１〜図８を用いて説明する。図１は本発明の画像読取装置１の構成を、図２はＳＣＮ制御ＣＰＵ１９の動作のフローチャートを、図３はカバー閉じ検知処理（Ｓ２３）のフローチャートを、図４はコピーキー入力処理（Ｓ２６）のフローチャートを、図５は両面キー入力処理（Ｓ２７）のフローチャートを、図６はスタートキー入力処理（Ｓ２８）のフローチャートを、図７は本発明のゲイン調整処理（ＣＣＤ）のフローチャートを、図８は本発明のゲイン調整処理（ＣＩＳ）のフローチャートを、それぞれ示す図である。
【００２３】
本発明の画像読取装置１は、図１０に示した従来例の画像読取装置１のＳＣＮ制御ＣＰＵ１６の代わりに新しいＳＣＮ制御ＣＰＵ１９を設け、制御部４のパネル操作部４１から出力される操作信号をＳＣＮ制御ＣＰＵ１９に入力するようにすると共に、ＳＣＮ制御ＣＰＵ１９にタイマＢ及びタイマＣを設けるようにしたものである。そのタイマＢ及びタイマＣは、リセットすると０にセットされ、時間の経過と共に順次カウントアップされるものである。
【００２４】
図１において、本発明の画像読取装置１は、ＣＣＤ，ＣＩＳ１１と、バッファ１２と、アナログＩＣ１３と、Ａ／Ｄコンバータ１４と、ＡＳＩＣ１５と、ＥＥＰＲＯＭ１７と、ＳＲＡＭ１８と、ＳＣＮ制御ＣＰＵ１９から構成される。ＳＣＮ制御ＣＰＵ１９には、制御部４のパネル操作部４１から出力される、「スタートキー」入力、「両面キー」入力、「コピーキー」入力、その他の「キー」入力、「カバー閉じ」の各操作信号が入力される。
【００２５】
本発明のＳＣＮ制御ＣＰＵ１９の動作のフローチャートを、図２〜図６を用いて説明する。ＳＣＮ制御ＣＰＵ１９は、主電源を投入した時、又はパネル操作部４１から各操作信号を得た時、ゲイン調整処理をスタートする。
【００２６】
図２において、ＳＣＮ制御ＣＰＵ１９は、スタートすると、ステップＳ２１において、タイマＡより検出した時間が所定値Ｔ０以上であるか否かを判断し、タイマＡの時間が所定値Ｔ０以上であると判断した時は、画像読取装置１を待機状態とするためのスリープモード処理を行い（ステップＳ１０）、ゲイン調整処理を終了する。スリープモード処理は周知であるので、ここでは説明を省略する。なお、前記所定値Ｔ０はユーザが設定するように構成され、５分／１０分／３０分／６０分／・・等に設定される。例えば、３０分に設定される。
【００２７】
ステップＳ２１において、タイマＡの時間が所定値Ｔ０以下であると判断した場合は、次に原稿カバーが閉じたか否かを判断し（ステップＳ２２）、原稿カバーが開いたまま、閉じたまま、或いは閉から開に変化した（開から閉に変化した以外）と判断した場合は、ステップＳ２４に進む。ステップＳ２２で原稿カバーが閉じた（開から閉に変化した）と判断した場合は、カバー閉じ検知処理を行った（ステップＳ２３）後、ステップＳ２９に進んでタイマＡをリセットして、ステップＳ２１に戻る。カバー閉じ検知処理については、図３を用いて後で説明する。
【００２８】
ステップＳ２４においては、キー入力が有るか否かを判断し、キー入力が無いと判断した場合はステップＳ２１に戻り、ステップＳ２１以降の処理を繰り返す。
ステップＳ２４でキー入力が有ると判断した場合は、ステップＳ２５において、操作信号を用いてキー入力の内容を調べ、キー入力が「コピーキー」入力である場合はコピーキー入力処理を行い（ステップＳ２６）、キー入力が「両面キー」入力である場合は両面キー入力処理を行い（ステップＳ２７）、キー入力が「スタートキー」入力である場合はスタートキー入力処理を行う（ステップＳ２８）。続いて、タイマＡをリセットして（ステップＳ２９）、ステップＳ２１に戻る。
【００２９】
なお、その他の「キー入力」として、「ＦＡＸキー」や「ネットワークスキャナキー」が考えられる。「ＦＡＸキー」は、ディジタル複写機から公衆回線インタフェース５を用いて他のＦＡＸ装置にＦＡＸ送信する際に押すキーであり、「ネットワークスキャナキー」はディジタル複写機からネットワークインタフェース６を用いてネットワークを介する他の機器に画像信号を送信する際に押すキーである。これらのキー入力を含める場合は、ステップＳ２６のコピーキー入力処理（図４参照）と同じ入力処理を、図２のステップＳ２８の右側に並列的に追加することで対処する。
【００３０】
次に、図３を用いて、カバー閉じ検知処理（ステップＳ２３）を説明する。カバー閉じ検知処理では、「スタートキー」入力操作に先立ち、原稿がセットされたことを検知した時、ＣＣＤ１１を用いて、タイマＢが所定値Ｔ１より大きい場合で且つゲイン調整処理（ＣＣＤ）中で無い場合のみ、ゲイン調整処理（ＣＣＤ）を起動する。ＣＩＳ１１については「両面キー」入力操作時に行うのでここでは行わない。なお、前記所定値Ｔ１は、ＣＣＤをゲイン調整して得られた調整値がゲイン調整してから無効になるまでの時間であり、例えば６０分又は１２０分に設定される。
【００３１】
図３において、ＳＣＮ制御ＣＰＵ１９は、先ず、読み込み原稿が画像読取装置１にセットされているか否かを判断する（ステップＳ３１）。原稿がセットされていないと判断した場合は、カバー閉じ検知処理を終了する。原稿がセットされていると判断した場合は、タイマＢの時間が所定値Ｔ１以上であるか否かを判断し（ステップＳ３２）、タイマＢの時間が所定値Ｔ１以下であると判断した場合は、カバー閉じ検知処理を終了する。タイマＢの時間が所定値Ｔ１以上であると判断した場合は、続いてゲイン調整処理（ＣＣＤ）中であるか否かを判断し（ステップＳ３３）、ゲイン調整処理（ＣＣＤ）中であると判断した場合は、カバー閉じ検知処理を終了する。ゲイン調整処理（ＣＣＤ）中で無いと判断した場合は、ゲイン調整処理（ＣＣＤ）を起動して（ステップＳ３４）から、カバー閉じ検知処理を終了する。ステップＳ３４で起動されるゲイン調整処理（ＣＣＤ）は、図７に示すように、図１１のゲイン調整処理（ＣＣＤ）（ステップＳ７１）と、それに続くタイマＢのリセット処理（ステップＳ７２）から構成される。
【００３２】
次に、図４を用いて、コピーキー入力処理（ステップＳ２６）を説明する。コピーキー入力処理では「スタートキー」入力操作に先立ち、「コピーキー」入力の操作信号が入力されたことを検知した時、ＣＣＤ１１を用いて、タイマＢが所定値Ｔ１より大きい場合で且つゲイン調整処理（ＣＣＤ）中で無い場合のみ、ゲイン調整処理（ＣＣＤ）を起動する。ＣＩＳ１１については「両面キー」入力操作時に行うのでここでは行わない。
【００３３】
図４において、ＳＣＮ制御ＣＰＵ１９は、先ず、画像読取装置１をコピーモードへ切り替える（ステップＳ４１）。次に、タイマＢの時間が所定値Ｔ１以上であるか否かを判断し（ステップＳ４２）、タイマＢの時間が所定値Ｔ１以下であると判断した場合は、コピーキー入力処理を終了する。タイマＢの時間が所定値Ｔ１以上であると判断した場合は、続いてゲイン調整処理（ＣＣＤ）中であるか否かを判断し（ステップＳ４３）、ゲイン調整処理（ＣＣＤ）中であると判断した場合は、コピーキー入力処理を終了する。ゲイン調整処理（ＣＣＤ）中で無いと判断した場合は、ゲイン調整処理（ＣＣＤ）を起動して（ステップＳ４４）から、コピーキー入力処理を終了する。ステップＳ４４で起動されるゲイン調整処理（ＣＣＤ）は、ステップＳ３４で起動されるゲイン調整処理（ＣＣＤ）と同じである。
【００３４】
以上述べた図３のカバー閉じ検知処理及び図４のコピーキー入力処理により、ＣＣＤ１１を用いて表面を読み取る場合、ＣＣＤ１１のゲイン調整を「スタートキー」の入力操作に先立って予め行うことができる。
【００３５】
次に、図５を用いて、両面キー入力処理（ステップＳ２７）を説明する。両面キー入力処理では「スタートキー」入力操作に先立ち、「両面キー」入力の操作信号が入力されたことを検知した時、ＣＩＳ１１を用いて、タイマＣが所定値Ｔ２より大きい場合で且つゲイン調整処理（ＣＩＳ）中で無い場合のみ、ゲイン調整処理（ＣＩＳ）を起動する。ＣＣＤ１１については「コピーキー」入力操作時に行うのでここでは行わない。これにより、ＣＩＳ１１を用いて裏面を読み取る場合のみ、ＣＩＳ１１のゲイン調整を予め行うことができる。なお、前記所定値Ｔ２は、ＣＩＳをゲイン調整して得られた調整値がゲイン調整してから無効になるまでの時間であり、例えば６０分に設定される。
【００３６】
図５において、ＳＣＮ制御ＣＰＵ１９は、スタートすると、先ず、ステップＳ５１において、画像読取装置１を両面モードへ切り替える。次に、タイマＣの時間が所定値Ｔ２以上であるか否かを判断し（ステップＳ５２）、タイマＣの時間が所定値Ｔ２以下であると判断した場合は、両面キー入力処理を終了する。タイマＣの時間が所定値Ｔ２以上であると判断した場合は、続いてゲイン調整処理（ＣＩＳ）中であるか否かを判断し（ステップＳ５３）、ゲイン調整処理（ＣＩＳ）中であると判断した場合は、両面キー入力処理を終了する。ゲイン調整処理（ＣＩＳ）中で無いと判断した場合は、ゲイン調整処理（ＣＩＳ）を起動して（ステップＳ５４）から、両面キー入力処理を終了する。ステップＳ５４で起動されるゲイン調整処理（ＣＩＳ）は、図８に示すように、図１２のゲイン調整処理（ＣＩＳ）（ステップＳ８１）と、それに続くタイマＣのリセット処理（ステップＳ８２）から構成される。
【００３７】
次に、図６を用いて、スタートキー入力処理（ステップＳ２８）を説明する。図６において、ＳＣＮ制御ＣＰＵ１９は、先ず、ステップＳ６１及びＳ６５において、タイマＢ，Ｃから検出した各時間が所定値Ｔ１，Ｔ２以上であるか否かを判断し、タイマＢ或いはタイマＣの時間が所定値Ｔ１或いは所定値Ｔ２以下であると判断した場合は、ステップＳ６９へ進む。タイマＢ或いはタイマＣの時間が所定値Ｔ１或いは所定値Ｔ２以上であると判断した場合は、続いてゲイン調整処理（ＣＣＤ）中或いはゲイン調整処理（ＣＩＳ）中であるか否かを判断し（ステップＳ６２，Ｓ６６）、ゲイン調整処理（ＣＣＤ）中或いはゲイン調整処理（ＣＩＳ）中であると判断した場合は、ステップＳ６４，Ｓ６８へ進む。ゲイン調整処理（ＣＣＤ）中或いはゲイン調整処理（ＣＩＳ）中で無いと判断した場合は、ゲイン調整処理（ＣＣＤ）或いはゲイン調整処理（ＣＩＳ）を起動して（ステップＳ６３，Ｓ６７）から、ステップＳ６４，Ｓ６８へ進む。ステップＳ６３で起動されるゲイン調整処理（ＣＣＤ）は、図３のステップＳ３４で起動されるゲイン調整処理（ＣＣＤ）と同じであり、又ステップＳ６７で起動されるゲイン調整処理（ＣＩＳ）は、図５のステップＳ５４で起動されるゲイン調整処理（ＣＩＳ）と同じである。ステップＳ６４，Ｓ６８では、タイマＢ或いはタイマＣがリセットされたか否かを判断し、リセットされてからステップＳ６９へ進む。
【００３８】
ステップＳ６１〜Ｓ６４及びステップＳ６５〜Ｓ６８の両方の処理を並行して行う。両方の処理が終了してから画像読み込み動作を起動し（Ｓ６９）、スタートキー入力処理を終了する。
【００３９】
以上述べたように、本発明のゲイン調整処理（ＣＣＤ，ＣＩＳ）は、ゲイン調整処理（ＣＣＤ，ＣＩＳ）中である時、及び前回のゲイン調整から所定時間経過するまで、処理を行わないようにしているので、「スタートキー」入力操作に先だって前述した「原稿のセット」、「コピーキー」入力、「両面キー」入力、その他の「キー」入力、の各操作が行われれば、その操作後「スタートキー」を押した場合にゲイン調整は省略されて、直ちに読み取り動作が起動されることになる。そして、前記所定時間Ｔ１、Ｔ２を適切に定めることにより、温度によるアナログ画像信号の変動に対処しながら、ファーストコピーを短縮し電力消費を少なくすることが可能になる。また、操作ミスによるモード切替が為された場合に、短時間でゲイン調整を繰り返すことも防止できる。
【００４０】
なお、以上の説明では、ゲイン調整処理（ＳＣＮ制御ＣＰＵ１９の動作）は、主電源を投入した時、又はパネル操作部４１から各操作信号を得た時、スタートさせていたが、タイマＢ又はタイマＣがある時間ＴＮを超えた時にも、スタートさせるようにすることも考えられる。このようにすれば、画像読取装置１が長い時間待機状態となっても、タイマＢ及びタイマＣによるゲイン調整が時間ＴＮ毎に定期的に行われるので、「原稿のセット」や「キー」入力のような各操作が為された場合にゲイン調整が省略される可能性が高く、直ちに読み取り動作が起動されることになる。なお、前記所定値ＴＮは、ＣＣＤ及びＣＩＳのゲイン調整に適切と思われる、例えば６０分が設定される。
【００４１】
【発明の効果】
以上述べたように、本発明は、ゲイン調整を、「スタートキー」入力操作前に且つ必要最小限で行うことにより、温度によるアナログ画像信号の変動に対処すると共にファーストコピーを短縮し、ゲイン調整部の部品の寿命を延命し電力消費を少なくすることが可能になるという効果がある。
【図面の簡単な説明】
【図１】本発明の画像読取装置１の構成を示す図である。
【図２】本発明のＳＣＮ制御ＣＰＵ１９の動作のフローチャートを示す図である。
【図３】本発明のカバー閉じ検知処理（Ｓ２３）のフローチャートを示す図である。
【図４】本発明のコピーキー入力処理（Ｓ２６）のフローチャートを示す図である。
【図５】本発明の両面キー入力処理（Ｓ２７）のフローチャートを示す図である。
【図６】本発明のスタートキー入力処理（Ｓ２８）のフローチャートを示す図である。
【図７】本発明のゲイン調整処理（ＣＣＤ）のフローチャートを示す図である。
【図８】本発明のゲイン調整処理（ＣＩＳ）のフローチャートを示す図である。
【図９】ディジタル複写機の構成を示す図である。
【図１０】画像読取装置１の従来例の構成を示す図である。
【図１１】ＳＣＮ制御ＣＰＵ１６の動作のゲイン調整処理（ＣＣＤ）のフローチャートを示す図である。
【図１２】
ゲイン調整処理（ＣＩＳ）のフローチャートを示す図である。
【符号の説明】
１　画像読取装置
２　画像処理装置
３　画像形成装置
４　制御部
５　公衆回線インタフェース
６　ネットワークインタフェース
１１　ＣＣＤ，ＣＩＳ
１２　バッファ
１３　アナログＩＣ
１４　Ａ／Ｄコンバータ
１５　ＡＳＩＣ
１６　ＳＣＮ制御ＣＰＵ
１７　ＥＥＰＲＯＭ
１８　ＳＲＡＭ
１９　ＳＣＮ制御ＣＰＵ
４１　パネル操作部
【図１】
2004120189.tif 000003
【図２】
2004120189.tif 000004
【図３】
2004120189.tif 000005
【図４】
2004120189.tif 000006
【図５】
2004120189.tif 000007
【図６】
2004120189.tif 000008
【図７】
2004120189.tif 000009
【図８】
2004120189.tif 000010
【図９】
2004120189.tif 000011
【図１０】
2004120189.tif 000012
【図１１】
2004120189.tif 000013
【図１２】
2004120189.tif 000014